(57)【特許請求の範囲】
【請求項１】
コンパクトディスクの中央孔に直接又はカバー部材を介して嵌入する磁石部材からなる保持部と、コンパクトディスクの側面を覆う側壁部を備え、該保持部の先端面を強磁性体物品に磁気吸着させることによりコンパクトディスクを保持するようにしたことを特徴とするコンパクトディスク保持具。
【請求項２】
上記保持部と、コンパクトディスクにおける片方の中央部側面を覆うように形成された上記側壁部とが一体的に形成され、該保持部の先端面と該側壁部の外面部とは異なる極性に着磁されてなる磁石部材により構成することを特徴とする請求項１に記載のコンパクトディスク保持具。
【請求項３】
上記保持部の先端面に磁気吸着してコンパクトディスクの上記側壁部が覆う面と反対側の面の中央部側面を覆う強磁性体の壁部材を備えたことを特徴とする請求項２に記載のコンパクトディスク保持具。
【請求項４】
上記壁部材は、磁石で形成されると共に、上記保持部の上記先端面の磁気吸着面側と反対側面とは異なる磁極に着磁されていることを特徴とする請求項３に記載のコンパクトディスク保持具。
【請求項５】
上記壁部材は、請求項２に記載のコンパクトディスク保持具と同一部材からなることを特徴とする請求項４に記載のコンパクトディスク保持具。
【請求項６】
上記側壁部の外面または上記壁部材の外面は、略湾曲状に形成されており、少なくとも平坦な強磁性体に磁気吸着させたとき回動可能であることを特徴する請求項２乃至５の何れかに記載のコンパクトディスク保持具。
【請求項７】
上記側壁部を形成するコンパクトディスクを収容可能な収容カバーと、該収容カバーの略中央に装着された磁石部材からなる上記保持部とから構成され、該保持部の磁気吸着力によりコンパクトディスクを収容カバーごと強磁性体物品に磁気吸着させることを特徴とする請求項１に記載のコンパクトディスク保持具。
【請求項８】
コンパクトディスクを収容可能な収容カバーと、連結部材を介して連結される磁石部材とから構成され、強磁性体物品に対し収容カバーおよび連結部材を介して磁石部材を磁気吸着させることによりコンパクトディスクを保持することを特徴とするコンパクトディスク保持具。
【請求項９】
上記収容カバーは、軟質の可透視部材で形成されたことを特徴とする請求項７または８に記載のコンパクトディスク保持具。
【請求項１０】
強磁性体物品と請求項２乃至９に記載の何れかのコンパクトディスク保持具に吸着力補助磁石を貼着するかあるいは複数のコンパクトディスク保持具間に介在させたことを特徴とするコンパクトディスク保持具。
【請求項１１】
上記磁石部材をフェライト系ボンド磁石としたことを特徴とする請求項１乃至１０の何れかに記載のコンパクトディスク保持具。
【請求項１２】
上記請求項１乃至１１に記載の何れかのコンパクトディスク保持具を磁気吸着する強磁性体製の支持台であって、一方の片面をＮ極に他の片面をＳ極に着磁した磁石部材を備えたコンパクトディスク保持具をその内側に磁気吸着力によって固着すると共に、コンパクトディスク保持具の最後部と支持台底部間に強磁性体製の継板を磁気吸着させて磁気閉回路を形成し、外部漏洩磁束を防止したことを特徴とするコンパクトディスク保持具の支持台。
【請求項１３】
上記磁石部材を両面多極着磁を施したものとし、該磁石部材を備えたコンパクトディスク保持具をその内側に磁気吸着力によって固着すると共に、コンパクトディスク保持具の最後部に強磁性体製の継板を磁気吸着させて磁気閉回路を形成し、外部漏洩磁束を防止したことを特徴とする請求項１２に記載のコンパクトディスク保持具の支持台。
【発明の詳細な説明】
【０００１】
【発明の属する技術分野】
本発明は、コンパクトディスクの収納性を良くするコンパクトディスク保持具及びその支持台に関するものである。
【０００２】
【従来の技術】
従来から、複数のコンパクトディスクを見やすく収容した容器が提案されており、例えば実開平５−７１１９１においてはコンパクトディスクを載置する回動可能なアームを収容した収納ケース同士を、突起の係合により複数連結した構造が開示され、実公平６−４３０２８ではコンパクトディスクを載置する複数の保持具を連結片により開閉可能に連結した構造が開示されている。
【０００３】
【発明が解決しようとする課題】
しかしながら、実開平５−７１１９１においては短い間隔でコンパクトディスクが整列されているため特定のものを探しにくく、実公平６−４３０２８においては全体を開く必要があるため、無駄な操作を強いられる不都合がある他に、これらの先行技術においては、コンパクトディスク１枚ごとに載置する部材或は収容ケースが必要なため、それらを収納するには大型な収容容器となることにより、大きな設置スペースが必要となり、さらにコスト的にも高額化する不都合があった。
そこで本発明は、簡単な構造で使用性が良いと共に、設置スペースも小さくて済み、さらに経済的にも優れたコンパクトディスク保持具を提案することを目的とする。
【０００４】
課題を解決するために本発明の第１のコンパクトディスク保持具は、コンパクトディスクの中央孔に直接又はカバー部材を介して嵌入する磁石部材からなる保持部と、コンパクトディスクの側面を覆う側壁部を備え、該保持部の先端面を強磁性体物品に磁気吸着させることによりコンパクトディスクを保持するようにしたことを特徴とする。
コンパクトディスクの中央孔に直接又はカバー部材を介して嵌入して保持部の先端面を強磁性体物品に磁気吸着させることにより、その間に介在するコンパクトディスクを保持する。保持部を磁石部材で構成することで、強磁性体さえあれば、コンパクトディスクを保持することができ、構造が大幅に簡素化される。
【０００５】
本発明の第２のコンパクトディスク保持具は、上記第１のコンパクトディスク保持具において、上記保持部と、コンパクトディスクにおける片方の中央部側面を覆うように形成された上記側壁部とが一体的に形成され、該保持部の先端面と該側壁部の外面部とは異なる極性に着磁されている磁石部材で構成することを特徴とする。
これにより、コンパクトディスク保持具を使用して、コンパクトディスクの片面中央部から抜けないように支持できると共に、側壁部の外面部に他の強磁性体を磁気吸着できる。
本発明の第３のコンパクトディスク保持具は、上記第２の発明のコンパクトディスク保持具において、上記保持部の先端面に磁気吸着してコンパクトディスクの上記側壁部が覆う面と反対側の面の中央部側面を覆う強磁性体の壁部材を備える構成とした。
このように、コンパクトディスクの中央部側面を覆った状態で保持するには、磁石部材と強磁性の部材間で行うことができる。
【０００６】
また、本発明の第４のコンパクトディスク保持具は、上記第３の発明のコンパクトディスク保持具において、上記壁部材は、磁石で形成されると共に、上記保持部の上記先端面の磁気吸着面側と反対側面とは異なる磁極に着磁されている。従って、コンパクトディスクの中央部側面を覆った状態で保持するには、二つの磁石部材間で行うこともできる。なお、第３の発明及び第４の発明共に、同じようにコンパクトディスクを保持したコンパクトディスク保持具を、多数連続して磁気吸着で取り付けることができる。そのため、この状態で特別な収納容器がなくても任意の場所に載置できるとともに、強磁性体の物品に対しては磁力で取り付けることができ、設置スペースを最小限にすることができる。
本発明の第５は、上記第４の発明のコンパクトディスク保持具において、壁部材は、上記第２の発明のコンパクトディスク保持具と同一部材からなる。
このように、上記壁部材を同一の磁石部材で構成すれば、概ね１枚のコンパクトディスクに対し１部品で構成される１つのコンパクトディスク保持具で良いので、取り付け作業がしやすく、経済的な利点も発生する。
【０００７】
本発明の第６のコンパクトディスク保持具は、上記第２乃至５の発明のコンパクトディスク保持具において、側壁部の外面または壁部材の外面は、略湾曲状に形成されており、少なくとも平坦な強磁性体に磁気吸着させたとき回動可能とした。
この構成によれば、複数に連接されたコンパクトディスク間を自由に開くことができるので希望のコンパクトディスクが探しやすく、しかも開く力を解除すれば自動的に元の状態に復帰するので作業性が大変良いものとなる。
【０００８】
本発明の第７のコンパクトディスク保持具は、上記第１の発明のコンパクトディスク保持具において、上記側壁部を形成するコンパクトディスクを収容可能な収容カバーと、該収容カバーの略中央に装着された磁石部材からなる上記保持部とから構成され、該保持部の磁気吸着力によりコンパクトディスクを収容カバーごと強磁性体物品に磁気吸着させる。
このように構成すると、コンパクトディスクに対する埃等の汚れを防ぐことができる。
【０００９】
本発明の第８のコンパクトディスク保持具は、コンパクトディスクを収容可能な収容カバーと、連結部材を介して連結される磁石部材とから構成され、強磁性体物品に対し収容カバーおよび連結部材を介して磁石部材を磁気吸着させることによりコンパクトディスクを保持する。
このように構成すると、探索の自由度が更にますことになる。
【００１０】
本発明の第９のコンパクトディスク保持具は、上記第７または８の発明のコンパクトディスク保持具において、上記収容カバーは、軟質の可透視部材で形成した。
このように構成すると、ディスプレイを直接目視でき、コンパクトディスク探索の自由度が更にますことになる。
【００１１】
なお、磁石からなるコンパクトディスク保持具１を用いて、複数連結して載置したとき（図２９参照）及び複数連結したコンパクトディスク保持具１を強磁性体物品に磁気吸着力で取り付けたとき（図３０参照）図中ＮからＳに向かって破線で示す漏洩磁束が発生する。このように、本発明は磁石部材を用いるので、漏洩磁束が影響すると考えられる場所、例えばパーソナルコンピューター近傍にコンパクトディスク保持具を設置した場合に、パーソナルコンピューターを操作してコンパクトディスクよりデータを入力したり、フロッピーディスクにデータを落とす作業において、作業机等でフロッピーディスクが接近又は接触しても磁気障害を受けにくいように配慮したものも必要である。
【００１２】
本発明の第１０のコンパクトディスク保持具は、上記第２乃至９の発明のコンパクトディスク保持具において、吸着力補助磁石を貼着するかあるいは複数のコンパクトディスク保持具間に介在させた。
磁石を着磁方向に重ねていくと、ある程度の厚みまでは磁石の吸着力の増加が大きくなる特徴がある。その特徴を利用し、コンパクトディスク保持具は比較的磁力の弱い磁石を用いて磁気障害の可能性を軽減すると共に、特に連結数が少ない場合の吸着力補助として、図３２に示すように被着体である強磁性体部品Ｓ８とコンパクトディスク保持具１間に吸着力補助磁石１３９を介在させて吸着固定するようにした。
なお、被着体に吸着させない状態で使用の場合は、コンパクトディスク保持具１に吸着力補助磁石１３９を吸着させることで、コンパクトディスク保持具の吸着力を増大させることができる。
【００１３】
本発明の第１１のコンパクトディスク保持具は、上記第１乃至１０の発明のコンパクトディスク保持具において、上記磁石部材をフェライト系ボンド磁石とした。
このように、上記のコンパクトディスク保持具の磁石部材を、他種の磁石より比較的弱い磁力のフェライト系ボンド磁石としたことで、フロッピーディスクへの磁気障害の可能性を軽減し、かつ、複雑な形状でも容易に磁場が成形できる。
【００１４】
本発明における第１２のコンパクトディスク保持具の支持台は、上記請求項１乃至１１に記載の何れかのコンパクトディスク保持具を磁気吸着する強磁性体製の支持台であって、一方の片面をＮ極に他の片面をＳ極に着磁した磁石部材を備えたコンパクトディスク保持具をその内側に磁気吸着力によって固着すると共に、コンパクトディスク保持具の最後部と支持台底部間に強磁性体製の継板を磁気吸着させて磁気閉回路を形成し、外部漏洩磁束を防止したことを特徴とする。
本発明の支持台は、図３１に示すようにコンパクトディスク５を保持したコンパクトディスク保持具１を磁気吸着力で固着する強磁性体製の支持台１４０を使用する。この支持台１４０の内面に、上下着磁（片面Ｎ極・他の片面Ｓ極となるよう厚み方向に着磁）した磁石部材を備えコンパクトディスク５を保持したコンパクトディスク保持具１を磁気吸着で固着し、さらに、コンパクトディスク保持具１の最後部と支持台底部１４１間に強磁性体製の継板１４２を磁気吸着させることにより磁気閉回路を形成して外部漏洩磁束を防止したものであり、図３３に示すように吸着力補助磁石１３９を用いた場合にも適用することができる。
【００１５】
本発明における第１３のコンパクトディスク保持具の支持台は、上記磁石部材を両面多極着磁を施したものとし、該磁石部材を備えたコンパクトディスク保持具をその内側に磁気吸着力によって固着すると共に、コンパクトディスク保持具の最後部に強磁性体製の継板を磁気吸着させて磁気閉回路を形成し、外部漏洩磁束を防止した。
このコンパクトディスク保持具の支持台は、図３６に示すようにコンパクトディスク５を保持したコンパクトディスク保持具１を磁気吸着力により固着する強磁性体製の支持台１４０を使用し、この支持台１４０の内面に、多極上下着磁（厚み方向に両面多極着磁）した磁石部材を備えコンパクトディスク５を保持したコンパクトディスク保持具１を磁気吸着力により固着し、さらに、コンパクトディスク保持具１の最後部に強磁性体の継板１４２を磁気吸着させて磁気閉回路を形成することにより外部漏洩磁束を防止したものである。
【００１６】
本発明の磁石部材に用いる磁石としては、フェライト系磁石例えばストロンチウムフェライト、バリウムフェライト、希土類磁石例えばネオジウム・鉄・硼素、サマリウム・コバルト、サマリウム・鉄・窒素、マンガン・アルミニウム磁石及びこれらのボンド磁石（プラスチック磁石、ゴム磁石）等の永久磁石を用いることができるが、中でもボンド磁石は比較的磁力が弱いのでフロッピーディスク等への磁気障害を起こす可能性が低いと共に成形性に優れる特長があり、フェライト形ボンド磁石にあっては、酸化物であり保磁力も大きく安定で経済性にも優れるので好ましい。
【００１７】
本発明における磁石部材の着磁パターンは、図３９の如く（ａ）に示す磁石部材の上下着磁（厚み方向に着磁した片面（ｂ）をＮ極、他の片面（ｃ）をＳ極）、図３７及び図３８の如く（ａ）に示す磁石部材の多極上下着磁（厚み方向に２極又は４極を両面着磁した状態の（ｂ）（ｃ）参照）したもの等の、多極に上下着磁したものを用いることができる。
上下着磁品は、コンパクトディスク保持具を連結する際に中心を合わせて吸着する求心吸着性、コンパクトディスク保持具を回転させる場合の回転性、コンパクトディスク保持具の側壁部外面又は壁部材の外面に湾曲を付与した場合の吸着面の密着性低下による吸着力低下が少ないなどの利点の他に、異方性のボンド磁石を磁場成形するには、磁場配向をさす磁界によって配向と着磁が同時にできる利点があるが、吸着力が上下多極着磁に比べて低く、また、外部漏洩磁束が遠くに及ぶ。
多極上下着磁品は、Ｎ極とＳ極の距離が近いので外部漏洩磁束が遠くへ及ばないし、密着吸着力が大きく、求心性、回転性も良いが湾曲面の吸着力が劣り、また、着磁は成形後に行う他は困難である。
したがって着磁パターンについては、コンパクトディスク保持具を使用する用途分野によって決めれば良い。
【００１８】
【発明の実施の形態】
本発明は、磁石部材を用いたコンパクトディスク保持具により、コンパクトディスクを保持し、さらにコンパクトディスク保持具同士を各々の磁石部材の磁力によって連結可能とすることにより、複数のコンパクトディスクを収納可能としたものであり、以下実施例に基づき説明する。
【００１９】
図１は本発明における第１の実施例を示す。
本実施例におけるコンパクトディスク保持具１は、斜視図（ａ）および、そのＡ−Ａ断面図（ｂ）に示すように磁石部材２単品から成る。該磁石部材２の中央部には、コンパクトディスク５の中心孔６に嵌入する保持部３が形成され、その後方にはコンパクトディスク５の中央部を覆う側壁部４が形成されている。
なお、これらの保持部３および側壁部４は円柱状に図示されているが、多角形や楕円等任意の形状で良い。
上記磁石部材２における保持部３の先端面３ａと、上記側壁部４の外面４ａには、異なる極性の着磁がなされており、各々強磁性体への磁気吸着が可能となっている。
なお、上記側壁部４の外面４ａには湾曲部４ｂが形成され、後述する回動作用がし易くなっている。
図２は本実施例の使用例であり、（ａ）の手順図に示すようにコンパクトディスク５の中心孔６に磁石部材２の保持部３を嵌入した状態で、該保持部３の先端面３ａを鉄製の棚等の強磁性体物品Ｓ１におけるＢＯ位置に磁気吸着させると、Ｂ−Ｂ端面図（ｂ）に示すように、コンパクトディスク５は、強磁性体物品Ｓ１および磁石部材２の側壁部４間に保持される。
【００２０】
図３は第２の実施例を示す。
本実施例においては、第１の実施例同様に作製された磁石部材２に磁気吸着させる強磁性体物品として、該磁石部材２と略同一形状で保持部２３の先端面２３ａおよび側壁部２４の外面２４ａには反対の極性に着磁した磁石部材２２を用いてこれら二つの磁石部材２，２２によりコンパクトディスク保持具２１を構成しており、（ａ）の手順図に示すようにコンパクトディスク５の中心孔６に、磁石部材２の保持部３と磁石部材２２の保持部２３を嵌入した状態で磁気吸着させることにより、該コンパクトディスク５を保持させる。
なお、上記保持部３，２３の長さは、合計でコンパクトディスク５の厚みより僅か長い程度が収納スペース的に好ましく、その長さも実施例のように必ずしも均等に設ける必要はなく、片側だけに集中して設けても良い。
【００２１】
そして、この状態で一方の磁石における側壁部を鉄製の棚等の強磁性体物品Ｓ２における任意の場所に磁気吸着させることにより、コンパクトディスクを設置できる。（吸着位置ＣＯにおけるＣ−Ｃ端面図（ｂ）参照）
なお、本実施例同様に作製されたコンパクトディスク保持具２１の磁石部材２，２２間に、コンパクトディスク５を保持したユニットを複数作製しておけば、他方の磁石における側壁部に順次磁気吸着させることができ、（ｃ）に示すように複数のコンパクトディスクを連結して設置することができる。この場合、設置場所は任意であり、無駄な空間を利用できるため収納スペースにおいて有益である。
また、連結された複数のコンパクトディスクから所望品を探す場合、図４に示すようにコンパクトディスク間を開いても、磁気吸引力が作用しており、開放力を解除すれば元の連結状態に復元するので便利である。
なお、本実施例においては磁石部材２の側壁部４に湾曲部４ｂが形成されているため、上記のコンパクトディスク間を開く際、磁石が回動するので操作をよりスムーズに行うことができる。
【００２２】
本実施例においては、複数のコンパクトディスクを連結した場合、図５に示すように、それ自体で連結状態を維持できるため、周囲に強磁性体の物品がなくても載置面上にコンパクトに収納することができる。
【００２３】
図６は第３の実施例を示す。
本実施例においてはコンパクトディスクを磁石部材間で保持することは第２の実施例と同様であるが、同一の磁石部材を用いる点で相違している。
即ち、（ａ）に示すようにコンパクトディスク保持具３１は磁石部材３２単体からなり、その中央に形成された円盤状の壁部３７における両面の中央部に、コンパクトディスクの中央孔へ嵌入する右保持部３８および左保持部３９がそれぞれ配設されている。
右保持部３８および左保持部３９の出代は、合計でコンパクトディスクの厚みより若干大きめに設定されれば良く、本実施例においては均等な出代となっている。なお、右保持部３８の端面３８ａおよび左保持部３９の端面３９ａには異なる極性の着磁がなされている。
コンパクトディスクを保持するには（ｂ）に示すように、コンパクトディスク保持具３１の右保持部３８側にコンパクトディスク５の中央孔６を嵌入した状態で、別のコンパクトディスク保持具３１’における磁気吸着する側の保持部である左保持部３９’を磁気吸着させれば良い。
同様な手順で、（ｃ）に示すように複数のコンパクトディスクを連結することができ、強磁性体物品Ｓ３に磁気吸着させて保持することができる。
【００２４】
図７は第３の実施例の変形例を示す。
第３の実施例においてはコンパクトディスク保持具が左右対称で見栄えが良い反面、両端面における極性の違いが判りにくいため、変形例においては形状的な識別がし易い構造を開示する。
この実施例においては（ａ）に示すように、コンパクトディスク保持具４１は磁石部材４２単品でなり、側壁部４４片側の中央部に保持部４３がコンパクトディスクの厚みより若干大きめに突出して形成され、側壁部外面と保持部の先端面には異なった極性の着磁がなされている。（従って、基本的には第１実施例におけるコンパクトディスク保持具１と同様な構成となる。）
この構成によると、形状の違いで極性の違いを識別できるためコンパクトディスクの保持操作が簡単となる。
そして、複数のコンパクトディスクを連結したのち（ｂ）に示すように強磁性体物品Ｓ４に磁気吸着させて保持することができる。
【００２５】
その他、識別しやすい形状としては他に図８にしめすように、コンパクトディスク保持具５１の保持部５３を上記変形例における幅を更に大きく形成し、反対面に溝部５３ａを設けるようにしたり、図９に示すようにコンパクトディスク保持具６１の片面に球形等の凸部６７を設け反対の面に凹部６８を設ける等、適宜の構造を採用して良い。
【００２６】
上記第２の実施例、および第３の実施例、並びに第３の実施例の変形例においては磁石部材同士でコンパクトディスクを保持したが、図１０に示すように、片方の部材は単に強磁性体の材料で形成しても良い。
（ａ）は第２の実施例における磁石部材の保持部７３の幅を広くした形状の磁石部材７２と、鋼板等で加工した強磁性体の壁部材７７で構成されたコンパクトディスク保持具７１であり、（ｂ）は、図８に示されたコンパクトディスク保持具５１と同形状に鋼板等を加工して形成された強磁性体の壁部材７８を使用した略図を示す。なお、５はコンパクトディスクである。
【００２７】
なお、これまでの各実施例および変形例の説明においては、コンパクトディスクを剥き出しの状態で説明したが、図１１に示すように保護カバー７に収容されたコンパクトディスク５であっても、同様に実施することができる。なお、同図は第２実施例における磁石部材２，２２間にコンパクトディスク５を保持した状態を示す。
【００２８】
本発明においては、コンパクトディスクを保持するのに、これまで説明した磁石部材を直接的に使用する構造以外でも実施が可能であり、以下の実施例に基づき説明する。
【００２９】
図１２乃至図１５は、第４の実施例を示す。
本実施例に用いられるコンパクトディスク保持具１０１はコンパクトディスク５が収容能な収納カバー１０２およびその内部に収容される磁石部材１０３からなる。
収納カバー１０２は、図１２（ｂ）および、そのＤ−Ｄ断面である図１３に示すように、透明な樹脂シートの裏面部１０４及び表面部１０５で袋状に加工してコンパクトディスク５の収容部１０６が形成され、該裏面部１０４における内面の中央部には、（ａ）に示すコンパクトディスク５の中央孔６が嵌入可能となる条件下で、両面に着磁された磁石部材１０３がシート部材１０９で覆われ周囲を溶着することにより配設されている。
なお、配設構造は本実施例以外の適宜の方法でも良い。
また、裏面部１０４の上部にはフラップ部１０７が形成され、表面部１０５の上部には取り付け帯１０８が取り付けられている。
そして上記コンパクトディスク５は、上記収容部１０６の所定位置に配置された後、上記フラップ部１０７を上記取り付け帯１０８に差し込むことにより収納が完了する。（図１２（ｃ）および図１４参照）
コンパクトディスク保持具１０１は、磁石部材１０３により強磁性体物品および他のコンパクトディスク保持具１０１との磁気吸着が可能なため、図１５に示すようにコンパクトディスク５を収容した複数のコンパクトディスク保持具１０１を連結した状態で、強磁性体物品Ｓ４に取り付けることができる。
【００３０】
図１６乃至図１８は第５の実施例を示す。
本実施例におけるコンパクトディスク保持具１１１は、図１６（ａ）に示すようにコンパクトディスクを収容可能な収納カバー１１２と二つの磁石部材１１３ａ，１１３ｂからなる。
収納カバー１１２は裏面部１１４と表面部１１５とで袋状に形成してコンパクトディスク５の収用部１１６を設け、該裏面部１１４の中央部にはコンパクトディスクの中央孔が嵌入に磁石部材１１３ａが設けられ、上部にはフラップ部１１７が形成されると共に、上端部には上記磁石部材１１３ａと磁気吸着可能に磁石部材１１３ｂが配設されている。なお、Ｅ−Ｅ断面の図１７に示すように、磁石部材１１３ａ，１１３ｂを覆って溶着することにより取り付けるシート部材１１９，１１９は、本実施例では裏面部１１４の外側に設けられている。ただし、取り付け方法はこれに限らず適宜の構造を採用して良い。
また、上記表面部１１５の上部には上記磁石部材１１３ａ部分が露出するように切り欠き部１１５ａが設けられている。
そして、（ｂ）に示すようにコンパクトディスク５を所定位置に収容した状態で、上記フラップ部１１７を下方に折り曲げて同部に設けられた磁石部材１１３ｂを一壁側に設けた磁石部材１１３ａに磁気吸着させることにより、コンパクトディスクの収容が完了する。（図１６（ｃ）および図１８（ａ）参照）
なお、１１４ａに示すように凹部を設けると上記フラップ部１１７を曲げ易くなり便利である。
この状態で第４の実施例同様に、図１８（ｂ）に示すように他のコンパクトディスク保持具１１１や強磁性体物品Ｓ５への磁気吸着による連結や接合が可能となる。
本実施例においては前述の第４の実施例と比較して、コンパクトディスクの収納がし易い利点がある。
【００３１】
図１９乃至図２２は第６の実施例を示す。
本発明におけるコンパクトディスク保持具１２１は、図１９（ｂ）および、そのＦ−Ｆ断面図である図２０に示すように、概略収納カバー１２２と磁石部材１２３からなり、該磁石部材１２３の設置位置がコンパクトディスク収納位置から外れている点が前述の第４および第５の実施例と異なっている。
上記収納カバー１２２は、裏面部１２４および表面部１２５間にコンパクトディスクの収納部１２６を形成し、該裏面部１２４の上部にフラップ部１２７が溶着により取り付けられ、上記表面部１２５の上部には上記フラップ部１２７を差し込んで係止する取り付け帯１２８が溶着等で取り付けられている。
磁石部材１２３は、上記裏面部１２４の上部にフラップ部１２７間に介在させることにより取り付けられる。その際、該磁石部材１２３が中央に位置するように図１９の（ｂ）および（ｃ）に示すように、中央の収納スペースを最大にしたり、図示しない収納用の凹凸等を設けると良い。なお、上記磁石部材１２３の厚みは該磁石部材１２３を覆うフラップの上面位置が、下述するコンパクトディスク５を収納した際に上記取り付け帯１２８の上面より低くならないように設定されている。
この状態で（ａ）に示すコンパクトディスク５は、（ｂ）に示す収納カバー１２２のコンパクトディスク収納部１２６に挿入され、さらにフラップ部１２７が取り付け帯１２８に差し込まれることによりコンパクトディスク保持具１２１に収納される。（図１９（ｃ）および図２１参照）
そして、図２２のように複数のコンパクトディスク保持具１２１、はそれぞれの磁石部材１２３により磁気吸着力で連結されると共に、強磁性体物品Ｓ６に磁気吸着力で取り付けられる。
本実施例においては磁石部材１２３の位置がコンパクトディスク収納部１２６から離れているため、所望のコンパクトディスクを探す際にコンパクトディスク保持具１２１を大きく開くことができ、見やすいという利点がある。
なお、図２３および、そのＧ−Ｇ断面である図２４に示す本実施例の変形例のように磁石部材１２３を細幅の延長部１２９の先端に設けると、さらに開きやすくなる。
１３０は磁石部材１２３を突出させるための突部であって、他のコンパクトディスク保持具との磁気吸着をし易くするものであり、図１９乃至図２２に示される各実施例にも適用可能である。
【００３２】
図２５乃至図２８は第７の実施例を示す。
本実施例においては第６の実施例の変形例における延長部１２９（図２３参照）を別部材で構成したものであって、コンパクトディスク保持具１３１は、図２５および、そのＨ−Ｈ断面図である図２６に示すように、概略コンパクトディスクを収容する収納カバー１３２および磁石部材１３３並びに連結部材１３４で構成される。
上記収容カバー１３２の上部には孔部１３８が設けられ、そこに樹脂繊維等で形成される紐状の連結部材１３４が通されている。該連結部材１３４は環状に形成されており、端部は磁石部材１３３における樹脂等の薄厚に成形された磁石カバー１３５に挿入され、Ｊ−Ｊ断面図である図２７（ａ）及びそのＫ−Ｋ断面（ｂ）に示す突部１３６に掛けられる。そして磁石本体１３７を介して蓋板１３８を強制嵌め等で取り付けることにより係止される。
なお、上記連結部材１３４と磁石部材１３３との取り付け構造および磁石部材１３３自体の構造については、上記実施例に限らず適宜の構造で実施して良い。以上のように構成されたコンパクトディスク保持具１３１は、図２８に示すように磁石部材１３３の磁気吸着力により他の複数コンパクトディスク保持具１３１との連結および強磁性体Ｓ７への取り付けが可能となる。この実施例によれば所望のコンパクトディスクを探す際、大きく開いて見ることができると共に、捻っても大丈夫なためさらに見やすいものとなる。
【００３３】
以下の実施例はコンパクトディスク保持具の製造方法及び各種性能について示したものである。
【００３４】
（実施例８）
本実施例は、コンパクトディスク保持具の磁気吸着力を求めた。
本測定に用いるコンパクトディスク保持具（以下試料１と言う）は図１に示す形状で、側壁部４の直径は２５ｍｍ、保持部３の直径は１４．８ｍｍ、厚み２．１ｍｍ（１個）の寸法となっており、市販の異方性ストロンチウムフェライト粉末とポリアミド樹脂からなるボンド磁石（プラスチックマグネット）成形用ペレット（磁気特性Ｂｒ：２５８０Ｇ、ｂＨｃ２３６０Ｏｅ、ｉＨｃ２８００Ｏｅ、ＢＨｍａｘ１．６ＭＧＯｅ）を用いて公知のプラスチックマグネットの射出成型法によって成形する。
また吸着力補助磁石は円筒形で直径１４．８ｍｍ、厚み７．８ｍｍであり、上記のコンパクトディスク保持具同様に成形される。
両者の着磁は、磁場成形時の磁場配向磁界（１３０００Ｏｅ）によって配向と同時に上下着磁が施される。（コンパクトディスク保持具の一対としての相手側の成形は磁界の方向を逆にして成形する。）
以上のように製造されたコンパクトディスク保持具及び吸着力補助磁石を鋼板（１．５ｍｍ厚）を被着体として貼着したときの吸着力は、コンパクトディスクのみの場合は８５ｇであるのに対し、図３２のように吸着力補助磁石１３９を介してコンパクトディスク１を貼着した場合は１７０ｇであり、手感覚でも前者は吸着力不足と感じるが後者は充分な感触が得られる。なお、１対の場合の吸着力が充分であればそれ以上の連結では吸着力が増加傾向にあるので吸着力の心配はない。
【００３５】
（実施例９）
本実施例では外部漏洩磁束を測定した。
本測定に用いるコンパクトディスク保持具の試料は、上記第８の実施例同様の異方性ストロンチウムフェライトボンド磁石である試料１と、市販の等方性ネオジウム・鉄・硼素・ボンド磁石の成形ボンド磁石成形用ペレット（磁気特性Ｂｒ：４６００Ｇ、ｂＨｃ４３００Ｏｅ、ｉＨｃ１４０００Ｏｅ、ＢＨｍａｘ５ＭＧＯｅ）を用いて公知の射出成形法によって試料１と同サイズに成形され、上下方向から２５０００Ｏｅの磁界をかけて上下着磁を施した試料２を用いる。
そして、各コンパクトディスクをそれぞれ２４枚連結した状態の端部中心の表面漏洩磁束密度についてガウスメータを用いて測定した結果、試料２の等方性ネオジウム・鉄・硼素・ボンド磁石の場合は１９５０Ｇであったのに対し、試料１の異方性ストロンチウムフェライトボンド磁石は８７２Ｇと弱いことが判った。従って、コンパクトディスク保持具としてはフェライト系ボンド磁石を用いればフロッピーディスク等への磁気障害の可能性を軽減することができ、しかもこの磁石は他種の磁石に比べ複雑な形状でも容易に磁場成形できると共に廉価であるので好適である。
【００３６】
（実施例１０）
本実施例においては上下着磁が施されたコンパクトディスク保持具を使用した状態で支持台を用いた場合に、該支持台からの漏洩磁束密度を測定した。
本測定に使用するコンパクトディスク保持具は上述した試料１を用いる。
測定結果はコンパクトディスク保持具を２４枚連結した状態で被着体である１．５ｍｍ厚の鉄板に貼着した時のコンパクトディスク保持部最後部中心の表面磁束密度は９２０Ｇであるのに対し、図３１に示す支持台１４０（鉄板製で厚さ１．５ｍｍ、幅５０ｍｍ）と継板（１．５ｍｍ厚）間にコンパクトディスク保持具を２４枚連結した状態のものを貼着し磁気閉回路を形成した場合は、中心部における鉄板背面の漏洩磁束密度をガウスメータで測定すると２Ｇ程度であり殆ど漏洩がなくなることがわかった。
【００３７】
（実施例１１）
本実施例においては上下２極着磁が施されたコンパクトディスク保持具を使用した状態で支持台を用いた場合に、該支持台からの漏洩磁束密度を測定した。
本測定に使用するコンパクトディスク保持具は、実施例８と同様に成形後に公知の方法で逆磁界をかけて減磁後、図３４のコンパクトディスク保持具（（ａ）断面図、（ｂ）背面図）に示すように、同心円に中央極の直径１０ｍｍの２極着磁ヨークを上面がＮ極に対して下面がＳ極になるように上下に着磁ヨークを密着させて、公知の着磁電源より直流パルス電流１５００Ａを通電して着磁を施す。このコンパクトディスク保持具でコンパクトディスクを２４枚連結して被着体である１．５ｍｍ厚の鉄板に貼着した時のコンパクトディスク保持具最後部中心の表面磁束密度は８７０Ｇであったのに対して、図３６ように厚み１．５ｍｍ、幅５０ｍｍの鉄板製の支持台に貼着し最後部に１．５ｍｍ厚の鉄板を貼着し磁気閉回路を形成することで、中心部の鉄板背面の漏洩磁束密度をガウスメータで測定すると０Ｇであり、漏洩は認められない。
【００３８】
【発明の効果】
本発明によれば、磁石部材を用いたコンパクトディスク保持具にコンパクトディスクを収用可能としたので、磁気吸着により複数のコンパクトディスクを連結することができ、簡単な構造で使用性がよく経済性に優れるものとなると共に、コンパクトディスク保持具を鉄製棚等の強磁性体物品における任意の場所に取り付けることができる為、無駄な空間も活用することができることになり設置スペースを小さくて済ませることができる。
更に本発明によれば、パーソナルコンピューターの作業の場合等でフロッピーディスクに接近する可能性のある分野での使用に際しては、吸着力補助磁石の併用によって磁力の低いボンド磁石を用いることができるし、また、磁気閉回路を形成するコンパクトディスク保持具の支持台によって漏洩磁束を防止することもできる。
【図面の簡単な説明】
【図１】本発明による第１の実施例における説明図であり（ａ）は斜視図、（ｂ）は（ａ）におけるＡ−Ａ断面図を示す。
【図２】本発明による第１の実施例の説明図であり（ａ）は取り付けの手順図、（ｂ）は（ａ）におけるＢ−Ｂ断面図を示す。
【図３】本発明による第２の実施例の説明図であり（ａ）は取り付けの手順図、（ｂ）は（ａ）におけるＢ−Ｂ断面図、（ｃ）は連結状態のコンパクトディスクを強磁性体物品に取り付けた時の略図を示す。
【図４】本発明による第２の実施例における連結状態のコンパクトディスクを開いた時の略図を示す。
【図５】本発明による第２の実施例における連結状態のコンパクトディスクを載置した時の略図を示す。
【図６】本発明による第３の実施例における説明図を示し（ａ）はコンパクトディスク保持具の正面図、（ｂ）はコンパクトディスクを保持するための説明図、（ｃ）は連結状態のコンパクトディスクを強磁性体物品に取り付けた時の略図を示す。
【図７】本発明による第３の実施例の変形例における説明図を示し、（ａ）はコンパクトディスク保持具の正面図、（ｂ）は連結状態のコンパクトディスクを強磁性体物品に取り付けた時の略図を示す。
【図８】本発明による第３の実施例における他の変形例の断面図を示す。
【図９】本発明による第３の実施例における他の変形例の断面図を示す。
【図１０】本発明による第２の実施例及び第３の実施例における変形例の他の実施例を示す説明図であり、（ａ）は第２の実施例に応用した略図、（ｂ）は第３の実施例の変形例に応用した略図を示す。
【図１１】本発明による第２の実施例に保護カバーを使用した場合の説明図を示す。
【図１２】本発明による第４の実施例における説明図であり、（ａ）はコンパクトディスクの斜視図、（ｂ）はコンパクトディスク保持具の斜視図、（ｃ）はコンパクトディスクを収容したコンパクトディスク保持具の斜視図を示す。
【図１３】図１２（ｂ）におけるＤ−Ｄ断面図を示す。
【図１４】図１２（ｃ）における中央縦断面図を示す。
【図１５】本発明による第４の実施例におけるコンパクトディスク保持具を複数連結した状態で強磁性体物品に取り付けた時の断面図を示す。
【図１６】本発明による第５の実施例における説明図であり、（ａ）はコンパクトディスク保持具の斜視図、（ｂ）はコンパクトディスクを装着したコンパクトディスク保持具の斜視図、（ｃ）はコンパクトディスクを収容したコンパクトディスク保持具の斜視図を示す。
【図１７】図１６（ａ）におけるＥ−Ｅ断面図を示す。
【図１８】本発明による第５実施例におけるコンパクトディスクをコンパクトディスク保持具に装着した状態を示す説明図であり，（ａ）は図１６（ｃ）における縦断面図、（ｂ）は複数の連結されたコンパクトディスク保持具を強磁性体物品に取り付けた断面図を示す。
【図１９】本発明による第６の実施例における説明図であり、（ａ）はコンパクトディスクの斜視図、（ｂ）はコンパクトディスク保持具の斜視図、（ｃ）はコンパクトディスクを収容したコンパクトディスク保持具の斜視図を示す。
【図２０】図１９（ｂ）におけるＦ−Ｆ断面図を示す。
【図２１】図１９（ｃ）における中央縦断面図を示す。
【図２２】本発明による第６の実施例におけるコンパクトディスク保持具を複数連結した状態で強磁性体物品に取り付けた時の断面図を示す。
【図２３】本発明による第６の実施例の変形例における斜視図を示す。
【図２４】図２３におけるＧ−Ｇ断面図を示す。
【図２５】本発明による第７実施例の斜視図を示す。
【図２６】図２５におけるＨ−Ｈ断面図を示す。
【図２７】本発明による第７実施例における磁石部材の断面図であり、（ａ）は図２６のＪ−Ｊ断面図、（ｂ）は（ａ）のＫ−Ｋ断面図を示す。
【図２８】本発明による第７の実施例におけるコンパクトディスク保持具を複数連結した状態で強磁性体物品に取り付けた時の断面図を示す。
【図２９】本発明による第２の実施例における連結状態のコンパクトディスクを載置した時の外部漏洩磁束を示す概念略式図である。
【図３０】本発明による第２の実施例における連結状態のコンパクトディスクを強磁性体物品に磁気吸着させた状態の外部漏洩磁束を示す概念略式図である。
【図３１】本発明による第１２の発明における磁気閉回路を示す略図である。
【図３２】本発明による第１０の発明における実施例を示す略図である。
【図３３】本発明による第１０および第１２の発明からなる実施例を示す略図である。
【図３４】本発明の磁石部材に上下多極着磁を施した着磁パターンの１例を示す略図であり、（ａ）はコンパクトディスクを一対のコンパクトディスク保持具で保持した略図であり、（ｂ）はその右側面図である。
【図３５】本発明の磁石部材に下述する図３７に示す上下着磁を施したコンパクトディスク保持具を連結した場合の両端に生ずる外部漏洩磁束を示す概念模式図である。
【図３６】本発明による第１３の発明における実施例を示す磁気閉回路の概念模式図である。
【図３７】本発明の磁石部材に同心円に磁極を設けた上下多極（２極）着磁を示す略図であり、（ａ）は正面図、（ｂ）は左側面図、（ｃ）は右側面図を示す。
【図３８】本発明の磁石部材に円を４分割した多極を設けた上下多極着磁を示す略図であり、（ａ）は正面図、（ｂ）は左側面図、（ｃ）は右側面図を示す。
【図３９】本発明の磁石部材に上下着磁を施した状態を示す略図であり、（ａ）は正面図、（ｂ）は左側面図、（ｃ）は右側面図を示す。
【符号の説明】
Ｓ１、Ｓ２、Ｓ３、Ｓ４、Ｓ５、Ｓ６、Ｓ７、Ｓ８  強磁性体物品
１、２１、３１、３１’、４１、５１、６１、７１  コンパクトディスク保持具２、２２、３２、４２、７２  磁石部材
３、２３、４３、５３、７３  保持部
３ａ、２３ａ、５３ａ  先端面
４、２４、４４  側壁部
４ａ、２４ａ  外面
４ｂ  湾曲面
５  コンパクトディスク
６  中央孔
７  保護カバー
３７  壁部
３８  右保持部
３８ａ、３９ａ端面
３９  左保持部
６７  凸部
６８  凹部
７７、７８  壁部材
１０１、１１１、１２１、１３１  コンパクトディスク保持具
１０２、１１２、１２２、１３２  収容カバー
１０３、１１３ａ、１１３ｂ、１２３、１３３  磁石部材
１０４、１１４、１２４  裏面部
１０５、１１５、１２５  表面部
１０６、１１６、１２６  収納部
１０７、１１７、１２７  フラップ部
１０８、１１８、１２８  取り付け帯
１０９、１１９  シート部材
１１４ａ  凹部
１１５ａ  切り欠き部
１２９  延長部
１３０  突部
１３４  連結部材
１３８  孔部
１３９  吸着力補助磁石
１４０  支持台
１４１  支持台底部
１４２  継板
【図１】
0003593087.tif 000002
【図２】
0003593087.tif 000003
【図３】
0003593087.tif 000004
【図４】
0003593087.tif 000005
【図５】
0003593087.tif 000006
【図６】
0003593087.tif 000007
【図７】
0003593087.tif 000008
【図８】
0003593087.tif 000009
【図９】
0003593087.tif 000010
【図１０】
0003593087.tif 000011
【図１１】
0003593087.tif 000012
【図１２】
0003593087.tif 000013
【図１３】
0003593087.tif 000014
【図１４】
0003593087.tif 000015
【図１５】
0003593087.tif 000016
【図１６】
0003593087.tif 000017
【図１７】
0003593087.tif 000018
【図１８】
0003593087.tif 000019
【図１９】
0003593087.tif 000020
【図２０】
0003593087.tif 000021
【図２１】
0003593087.tif 000022
【図２２】
0003593087.tif 000023
【図２３】
0003593087.tif 000024
【図２４】
0003593087.tif 000025
【図２５】
0003593087.tif 000026
【図２６】
0003593087.tif 000027
【図２７】
0003593087.tif 000028
【図２８】
0003593087.tif 000029
【図２９】
0003593087.tif 000030
【図３０】
0003593087.tif 000031
【図３１】
0003593087.tif 000032
【図３２】
0003593087.tif 000033
【図３３】
0003593087.tif 000034
【図３４】
0003593087.tif 000035
【図３６】
0003593087.tif 000036
【図３５】
0003593087.tif 000037
【図３７】
0003593087.tif 000038
【図３８】
0003593087.tif 000039
【図３９】
0003593087.tif 000040